(57)【要約】【課題】湿度検知手段を用いることなく短絡故障による過電流であるか付着物の吸湿による過電流であるかを判定でき、短絡故障が発生した場合に速やかに異常を通知できる空気清浄機を得ること。【解決手段】空気清浄機５０は、電極間に電圧を印加して形成した放電空間を通過する塵を帯電させ、帯電した塵を吸着させて電気集塵する電気集塵機５と、電気集塵機５の電極間の電気的特性値を計測する計測部と、電気集塵機５を制御する制御部１０と、を有する。制御部１０は、計測部で計測された電気的特性値が変化した量である電気的特性値の変化量と第１の基準値との大小関係に基づいて、電気集塵機５が短絡故障したか否かを判定する。【選択図】図１
2019147102.tif 000002
【特許請求の範囲】
【請求項１】
電極間に電圧を印加して形成した放電空間を通過する塵を帯電させ、帯電した前記塵を吸着させて電気集塵する電気集塵機と、
前記電気集塵機の電極間の電気的特性値を計測する計測部と、
前記電気集塵機を制御する制御部と、
を有し、
前記制御部は、前記計測部で計測された前記電気的特性値が変化した量である電気的特性値の変化量と第１の基準値との大小関係に基づいて、前記電気集塵機が短絡故障したか否かを判定すること、
を特徴とする空気清浄機。
【請求項２】
前記制御部は、前記計測部で計測された前記電気的特性値と第２の基準値との大小関係に基づいて、前記電気集塵機が正常に集塵できない状態であると判定した場合に、前記計測部で計測された前記電気的特性値の変化量と前記第１の基準値との大小関係に基づいて、前記電気集塵機が短絡故障したか否かを判定すること、
を特徴とする請求項１に記載の空気清浄機。
【請求項３】
前記制御部は、前記電気集塵機が短絡していないと判定した場合に、前記計測部で計測された電気的特性値と前記第２の基準値との大小関係に基づいて、前記電気集塵機を間欠運転させて、前記間欠運転時において前記計測部で計測された前記電気的特性値と前記第２の基準値との大小関係に基づいて、前記電気集塵機が正常に集塵できる状態であるか否かを判定すること、
を特徴とする請求項２に記載の空気清浄機。
【請求項４】
前記計測部で計測された前記電気的特性値を記憶する記憶部を備え、
前記制御部は、前記空気清浄機へ電源投入後に最初に前記計測部で計測された前記電気的特性値と、前記空気清浄機の電源投入時に前記記憶部に記憶されている前記電気的特性値とに基づいて、前記電気的特性値の変化量を算出すること、
を特徴とする請求項１から３のいずれか１つに記載の空気清浄機。
【請求項５】
前記制御部は、前記計測部で計測された前記電気的特性値の変化量を算出する周期を複数有すること、
を特徴とする請求項１から４のいずれか１つに記載の空気清浄機。
【請求項６】
前記制御部は、前記電気的特性値の変化量と、前記計測部で計測された前記電気的特性値の変化量を算出する周期に応じて前記第１の基準値を変更した第３の基準値との大小関係に基づいて、前記電気集塵機が短絡故障したか否かを判定すること、
を特徴とする請求項５に記載の空気清浄機。
【請求項７】
前記制御部は、前記計測部で計測された前記電気的特性値と、前記第２の基準値よりも大きい第４の基準値との大小関係に基づいて、前記電気集塵機が短絡故障したか否かを判定すること、
を特徴とする請求項２に記載の空気清浄機。
【発明の詳細な説明】
【技術分野】
【０００１】
本発明は、電気集塵機を搭載した空気清浄機に関する。
【背景技術】
【０００２】
電気集塵では、金属製の電極間に１０ｋＶ程度の高電圧を印加することで放電空間を形成し、放電空間を通過する空気中の塵をプラス又はマイナスに帯電させる。その後、帯電した塵は、集塵フィルタを通過する際にクーロン力で吸着して集塵される。集塵フィルタは、アース電位又は塵と反対の極性の電位に帯電させている場合もある。
【０００３】
電気集塵機を搭載している空気清浄機は、放電部が短絡故障した場合の安全機能を備えている。放電部が短絡故障した場合の安全機能は、過電流を検知すると電気集塵機の放電を停止させる機能と、使用者又は管理者に異常を通知する機能である。
【０００４】
ここで、短絡故障とは、放電部の電極の断線又は変形により電極間が短絡するか又は電極間の距離が著しく短くなって、過電流が流れる状態である。短絡故障が発生すると、放電空間を形成することができなくなるため、集塵機能を発揮できなくなる。
【０００５】
特許文献１に開示される発明は、過電流を検知した場合は放電部への高電圧印加を停止するが、一定時間後に再度高電圧を印加して過電流が解消しているかを確認するリトライを実施しており、リトライ回数が閾値回数を超えた場合に、リトライをせずに電気集塵機を停止させた状態にして異常通知を行っている。
【０００６】
電気集塵機が高湿度に晒されると、埃又は水溶性の化学物質といった付着物が吸湿し、吸湿した付着物を通じて電流が流れることによる過電流を検知する場合がある。特許文献２に開示される発明は、電気集塵機を搭載した空気清浄機には湿度センサといった湿度検知手段を搭載し、湿度センサが基準湿度よりも高湿度を検知した場合には、付着物の吸湿による過電流と判定して短絡故障の異常通知を行わないようにしている。すなわち、特許文献２に開示される発明は、湿度センサといった湿度検知手段を搭載し、基準湿度以下で過電流を検知した場合のみ異常を通知している。
【先行技術文献】
【特許文献】
【０００７】
【特許文献１】特開２００７−１４７１８１号公報
【特許文献２】特開平１１−９０２７０号公報
【発明の概要】
【発明が解決しようとする課題】
【０００８】
特許文献１に開示される発明は、短絡故障による過電流であるか付着物の吸湿による過電流であるかをリトライの継続期間によって判別することになる。しかし、湿度が低下するのに要する期間は、使用環境によって異なる上に、同じ環境下であっても季節によって異なる。したがって、湿度が低下する時間が想定していた時間より長い場合に、付着物の吸湿による過電流であるにも関わらず短絡検知と判定し、異常通知を誤発報してしまう可能性がある。また、確実に湿度が低下する時間を確保するには、長期間にわたってリトライを実行する必要がある。よって、特許文献１に開示される発明は、短絡故障が発生してもすぐには使用者又は管理者に異常を通知できない。
【０００９】
特許文献２に開示される発明は、短絡故障が発生した場合でも、基準湿度よりも高湿度であれば異常を通知しないため、季節及び使用環境によっては、長期間にわたって使用者又は管理者に異常を通知できない。また、湿度検知手段を搭載する必要があるため、空気清浄機の製品サイズが増大してしまう。
【００１０】
本発明は、上記に鑑みてなされたものであって、湿度検知手段を用いることなく短絡故障による過電流であるか付着物の吸湿による過電流であるかを判定でき、短絡故障が発生した場合に速やかに異常を通知できる空気清浄機を得ることを目的とする。
【課題を解決するための手段】
【００１１】
上述した課題を解決し、目的を達成するために、本発明にかかる空気清浄機は、電極間に電圧を印加して形成した放電空間を通過する塵を帯電させ、帯電した塵を吸着させて電気集塵する電気集塵機と、電気集塵機の電極間の電気的特性値を計測する計測部と、電気集塵機を制御する制御部と、を有する。制御部は、計測部で計測された電気的特性値が変化した量である電気的特性値の変化量と第１の基準値との大小関係に基づいて、電気集塵機が短絡故障したか否かを判定する。
【発明の効果】
【００１２】
本発明によれば、湿度検知手段を用いることなく短絡故障による過電流であるか付着物の吸湿による過電流であるかを判定でき、短絡故障が発生した場合に速やかに異常を通知できるという効果を奏する。
【図面の簡単な説明】
【００１３】
【図１】本発明の実施の形態１にかかる空気清浄機の断面図
【図２】本発明の実施の形態１にかかる空気清浄機の機能構成を示す図
【図３】本発明の実施の形態１にかかる制御部が運転モード及び停止モードを選択する場合における検知電流値の推移の一例を示す特性図
【図４】本発明の実施の形態１にかかる制御部が運転モード時に異常モードを選択する場合における検知電流値の推移の一例を示す特性図
【図５】本発明の実施の形態１にかかる制御部が停止モード時に異常モードを選択する場合における検知電流値の推移の一例を示す特性図
【図６】本発明の実施の形態１にかかる制御部が運転モード時に待機モードを選択する場合における検知電流値の推移の一例を示す特性図
【図７】本発明の実施の形態１にかかる制御部が停止モード時に待機モードを選択する場合における検知電流値の推移の一例を示す特性図
【図８】本発明の実施の形態１にかかる制御部が待機モードのリトライ運転時に異常モードを選択する場合における検知電流値の推移の一例を示す特性図
【図９】本発明の実施の形態１にかかる空気清浄機の制御部の制御の流れを示すフローチャート
【図１０】本発明の実施の形態２にかかる空気清浄機が運転モード時に第２の閾値電流値増加量に基づいて待機モードを選択する場合における検知電流値の推移の一例を示す特性図
【図１１】本発明の実施の形態２にかかる空気清浄機の制御部の制御の流れを示すフローチャート
【図１２】本発明の実施の形態３にかかる空気清浄機が待機モード時に第２の閾値電流値に基づいて異常モードを選択する場合における検知電流値の推移の一例を示す特性図
【図１３】本発明の実施の形態３にかかる空気清浄機の制御部の制御の流れを示すフローチャート
【発明を実施するための形態】
【００１４】
以下に、本発明の実施の形態に係る空気清浄機を図面に基づいて詳細に説明する。なお、この実施の形態によりこの発明が限定されるものではない。
【００１５】
実施の形態１．
図１は、本発明の実施の形態１にかかる空気清浄機５０の断面図である。図２は、本発明の実施の形態１にかかる空気清浄機５０の機能構成を示す図である。実施の形態１にかかる空気清浄機５０は、電動機１ａ及び羽根車１ｂを備えたファン１と、羽根車１ｂが回転することによって室内空気を取り込む給気口２と、清浄化した室内空気を室内へ供給する排気口３と、給気口２から取り込んだ室内空気を排気口３まで導く風路４と、風路４の途中に配置され、給気口２から取り込んだ室内空気に対して電気集塵を行って清浄化する電気集塵機５と、を有する。また、空気清浄機５０は、遠隔操作用のリモートコントローラ６と、室内空気中の塵の量を測定するダストセンサ７と、電気集塵機５の電極間の短絡を検知するために電気集塵機５の電極間の電気的特性値を計測する計測部であって電気集塵機５の電極間を流れる電流の電流値を計測して計測結果である電流値情報を出力する電流センサ９と、リモートコントローラ６からの操作指令、リモートコントローラ６が備えるダストセンサ７の測定結果及び電流センサ９からの電流値情報に基づいてファン１、電気集塵機５及びランプ８を制御する制御部１０とを有する。
【００１６】
リモートコントローラ６は、室内空気中の塵の量を測定するダストセンサ７と、制御部１０から電気集塵機５が短絡故障状態である旨の情報を通信で取得した場合に短絡故障を使用者に通知するランプ８を備えている。ランプ８には、発光ダイオード（Light  Emitting  Diode,  LED）を適用できるが、これに限定されない。以下の図では、リモートコントローラをリモコンと略記する場合がある。リモートコントローラ６からの操作指令は、リモートコントローラ６の操作による指示である。
【００１７】
制御部１０は、ファン１、電気集塵機５、リモートコントローラ６、ダストセンサ７および電流センサ９と通信可能である。制御部１０には、電流センサ９から受け取った電流値情報を記憶する記憶部である記憶素子１１を搭載している。また、リモートコントローラ６から受け取った操作指令と、ダストセンサ７から受け取った測定した塵の量と、電流センサ９から受け取った電流値情報及び記憶素子１１から読み出した過去の電流値情報とに基づいて、ファン１および電気集塵機５の運転内容を決定して制御信号を発信する処理回路１２を搭載している。制御部１０は、処理回路１２が発信する制御信号に基づいて、空気清浄機５０の構成機器であるファン１および電気集塵機５等を制御する。
【００１８】
また、処理回路１２には、短絡故障による過電流検知か付着物の吸湿による過電流検知かを判定する処理、制御モードを選択する処理、短絡故障による過電流検知の場合に電気集塵機５を停止させて異常を通知する処理等、以下において説明する制御部１０における制御を実現する論理回路が組み込まれている。
【００１９】
処理回路１２が演算装置の場合、短絡故障による過電流検知か付着物の吸湿による過電流検知かを判定する処理、制御モードを選択する処理、短絡故障による過電流検知の場合に電気集塵機５を停止させて異常を通知する処理等は、ソフトウェア、ファームウェア、又はソフトウェアとファームウェアとの組み合わせにより実現される。
【００２０】
電気集塵機５は、１０ｋＶ程度の高電圧が印加される金属製のプラス電極と、アース電位と同等電位となる金属製のアース電極とを備える。電気集塵機５は、プラス電極とアース電極との間に放電空間を形成することで、放電空間を通過する塵を帯電させる。電気集塵機５は、放電空間よりも後段の風路に、アース電位と同等電位となる導電性の集塵フィルタが配置されており、帯電させた塵をアース電極及び集塵フィルタにクーロン力で吸着させて集塵する。
【００２１】
制御部１０は、電流センサ９が出力する電流値情報を受け取ることにより、電気集塵機５の電極間に流れる電流の大きさである電流値を監視しており、電流値が第１の閾値電流値以上となった場合に、過電流と判定する。第１の閾値電流値の一例は、２００ｍＡである。
【００２２】
第１の閾値電流値は、電流センサ９で計測された電流値と比較して、電気集塵機５が過電流であるか否かを判定するための閾値である。第１の閾値電流値は、計測部で計測された電気的特性値と比較して、電気集塵機５が過電流であるか否かを判定するための第２の基準値である。
【００２３】
ここで過電流とは、電気集塵機５の電極間に放電空間を形成せずに、リーク電流が流れることによって電流値が増加した状態である。過電流が発生している場合には、電気集塵機５は、空気清浄機能を発揮できない。第１の閾値電流値には、電気集塵機５の電極間に放電空間を形成した際に、リーク電流が流れない範囲の電流上限値が設定される。電流上限値は、空気清浄機５０の性能評価によって予め求めておいたものが用いられる。
【００２４】
以下では、制御部１０が電流センサ９から受け取る、電気集塵機５の電極間を流れる電流の電流値情報を検知電流値と称する。また、制御部１０は、検知電流値を記憶素子１１に記憶する。制御部１０は、記憶素子１１に記憶している検知電流値と現在の検知電流値とを比較することで、電気集塵機５の電極間を流れる電流の電流値の増加量を算出する。すなわち、制御部１０は、記憶素子１１に記憶している検知電流値と現在の検知電流値との、検知電流値の増加量を算出する。
【００２５】
電流値の増加量の算出方法は、記憶素子１１に記憶している過去の検知電流値と、現在の検知電流値とを比較すること以外に、記憶素子１１に記憶している過去の数回分の検知電流値と現在の検知電流値とを用いて、電流増加量の傾きを計算する方法を用いてもよく、特定の方法に限定されない。また、記憶素子１１に記憶する検知電流値及び電流値の増加量の算出に用いる電流値は、電流センサ９にノイズが印加されることなどによる検知電流値のブレに起因した誤判定を防ぐ目的で、複数回検知した電流値の平均値としてもよい。
【００２６】
実施の形態１にかかる空気清浄機５０は、以下の４つの制御モードを持つ。１つ目の制御モードは、運転モードである。運転モードは、リモートコントローラ６からの操作指令が運転であり、電気集塵機５に高電圧を印加し、集塵している状態である。運転モード中は、電流センサ９は、後述する停止モード時よりも大幅に短い時間間隔で電気集塵機５の電極間を流れる電流値を計測している。また、運転モード中は、制御部１０は、同時に電流値の増加量を算出している。ただし、電流値の増加量を算出するタイミングは、必ずしも電流センサ９が電流値を計測するタイミングと同期させる必要はない。運転モード中において電流センサ９が電流値の計測する時間間隔の一例は、１００ｍ秒である。すなわち、電流センサ９は、１００ｍ秒毎に電流値を計測する。
【００２７】
２つ目の制御モードは、停止モードである。停止モードは、リモートコントローラ６からの操作指令が停止であるため、電気集塵機５を停止させている状態である。停止モード中は、過電流が解消しているかを確認するリトライ運転が行われる。すなわち、停止モード中は、既定時間毎に、電極間を流れる電流値の計測に必要な期間のみ電気集塵機５を運転する間欠運転を行うことで、電流センサ９での電流値の計測と、制御部１０での電流値の増加量の算出とを行う。そして、電気集塵機５は、算出した電流値の増加量に基づいて、付着物の吸湿による過電流の発生と判断して後述する待機モードへ遷移するか、短絡故障の発生と判断して後述する異常モードへ遷移するか、過電流の発生がないと判断して停止モードを継続するかの判定を行う。既定時間の一例は、１０分である。
【００２８】
３つ目の制御モードは、異常モードである。異常モードは、電気集塵機５が短絡故障の状態であり、電気集塵機５を停止するとともに、リモートコントローラ６に搭載されたランプ８により異常を通知する。
【００２９】
４つ目の制御モードは、待機モードである。待機モードは、リモートコントローラ６からの操作指令が運転であるが、制御部１０が過電流を検知し、過電流の原因が付着物の吸湿であると判定したため、電気集塵機５を停止させている状態である。待機モード中は、過電流が解消しているかを確認するリトライ運転が行われる。すなわち、待機モード中は、既定時間毎に、電極間を流れる電流値の計測に必要な期間のみ電気集塵機５を運転する間欠運転を行って、電流センサ９での電流値の計測と、制御部１０での電流値の増加量の算出とを行う。そして、電気集塵機５は、算出した電流値の増加量に基づいて、付着物の吸湿による過電流の発生と判断して待機モードを継続するか、短絡故障の発生と判断して異常モードへ遷移するか、過電流の発生がないと判断して運転モードまたは停止モードへ遷移するかの判定を行う。既定時間の一例は、１０分である。
【００３０】
制御部１０は、待機モードのリトライ運転時に、検知電流値が第１の基準値未満となった場合は、空気清浄機５０が空気清浄機能を発揮できる状態に復帰したと判定し、リモートコントローラ６から受信する操作指令に従って運転モード又は停止モードに移行する。制御部１０は、待機モードでは、ランプ８による異常の通知は行わない。
【００３１】
制御部１０は、検知電流値が第１の閾値電流値未満である場合には、電気集塵機５が正常に集塵できる状態であると判定し、運転モードまたは停止モードを選択する。一方、制御部１０は、検知電流値が第１の閾値電流値以上である場合には、電気集塵機５が正常に集塵できない状態であると判定し、異常モードまたは待機モードを選択する。
【００３２】
制御部１０は、検知電流値が第１の閾値電流値以上である場合において、電流値の増加量が第１の閾値電流値増加量以上である場合に、電気集塵機５が短絡故障したと判定して、異常モードを選択する。制御部１０は、検知電流値が第１の閾値電流値以上である場合において、電流値の増加量が第１の閾値電流値増加量未満である場合に、付着物の吸湿による過電流が発生したと判定して、待機モードを選択する。すなわち、制御部１０は、検知電流値と、算出した電流値の増加量とに基づいて、上述した４つの制御モードのいずれかを選択する。
【００３３】
第１の閾値電流値増加量は、電流センサ９で計測された電流値が変化した量である電流値の増加量と比較して、電気集塵機５が短絡故障したか否かを判定するための閾値である。そして、第１の閾値電流値増加量は、計測部で計測された電気的特性値が変化した量である電気的特性値の変化量と比較して、電気集塵機５が短絡故障したか否かを判定するための第１の基準値である。第１の閾値電流値増加量の一例は、２５０ｍＡ／１０分である。
【００３４】
ここで、短絡故障による過電流の検知と、付着物の吸湿による過電流の検知と、の差異に関して説明する。短絡故障による過電流の場合は、電気集塵機５の電極間の抵抗値が、正常値から急に概ね０Ωになる。このため、検知電流値は、付着物の吸湿による過電流の場合と比べて、急激に増加する。電極間の抵抗値の正常値の一例は、１００ＭΩ以上である。検知電流値が急激に増加する場合の検知電流値の変化の一例は、１０００ｍＡ／１秒である。
【００３５】
一方、付着物の吸湿による過電流の場合は、付着物の吸湿量に応じて電気集塵機５の電極間の抵抗値が徐々に低下する。このため、検知電流値は、短絡故障の場合と比べて緩やかに増加する。検知電流値が緩やかに増加する場合の検知電流値の変化の一例は、０．０１ｍＡ／１秒である。上述した電流値の増加量の違いによって、制御部１０は、短絡故障が検知されたか、または付着物の吸湿による過電流が検知されたかを判定することができる。
【００３６】
付着物の吸湿によって増加する、電気集塵機５の電極間を流れる電流の電流値の増加量の上限値は、空気清浄機５０の性能評価によって予め求めておく。電流値の増加量の上限値の一例は、２００ｍＡ／１０分である。なお、上記において第１の閾値電流値増加量の一例として示した２５０ｍＡ／１０分は、電流センサ９における電流の計測誤差等も考慮して、上記の電流値の増加量の上限値の一例である２００ｍＡ／１０分より高い値に設定している。
【００３７】
図３は、本発明の実施の形態１にかかる制御部１０が運転モード及び停止モードを選択する場合における検知電流値の推移の一例を示す特性図である。図３に示す例では、検知電流値が常に第２の基準値である第１の閾値電流値を下回っている。したがって、制御部１０は、リモートコントローラ６からの操作指令に従って運転モード又は停止モードを選択する。
【００３８】
図４は、本発明の実施の形態１にかかる制御部１０が運転モード時に異常モードを選択する場合における検知電流値の推移の一例を示す特性図である。図５は、本発明の実施の形態１にかかる制御部１０が停止モード時に異常モードを選択する場合における検知電流値の推移の一例を示す特性図である。
【００３９】
図４および図５において、第２の基準値である第１の閾値電流値未満の状態から第１の閾値電流値以上の状態に変化した検知電流値は、いずれも第１の閾値電流値増加量よりも上に位置している。すなわち、図４に示す例および図５に示す例のいずれの場合も、検知電流値は、第１の閾値電流値未満の状態から第１の閾値電流値以上の状態となる際に、付着物の吸湿による過電流の場合と比べて急激に増加しており、電流値の増加量が第１の基準値である第１の閾値電流値増加量以上である。したがって、図４に示す例および図５に示す例のいずれの場合も、制御部１０は、電気集塵機５が短絡故障したと判定して、異常モードを選択する。
【００４０】
図６は、本発明の実施の形態１にかかる制御部１０が運転モード時に待機モードを選択する場合における検知電流値の推移の一例を示す特性図である。図７は、本発明の実施の形態１にかかる制御部１０が停止モード時に待機モードを選択する場合における検知電流値の推移の一例を示す特性図である。
【００４１】
図６および図７において、第２の基準値である第１の閾値電流値未満の状態から第１の閾値電流値以上の状態に変化した検知電流値は、いずれも第１の基準値である第１の閾値電流値増加量よりも下に位置している。すなわち、図６に示す例および図７に示す例のいずれの場合も、検知電流値は、第１の閾値電流値未満の状態から第１の閾値電流値以上の状態となる際に、短絡故障の場合と比べて緩やかに増加しており、電流値の増加量が第１の閾値電流値増加量未満である。したがって、図６に示す例および図７に示す例のいずれの場合も、制御部１０は、付着物の吸湿による過電流が発生したと判定して、待機モードを選択する。
【００４２】
図６に示す例では、制御部１０は、待機モード時において例えば１０分ごとに電気集塵機５を間欠運転させてリトライ運転を行う。制御部１０は、待機モードのリトライ運転時に、検知電流値が第２の基準値未満となった場合は、空気清浄機５０が空気清浄機能を発揮できる正常状態に復帰したと判定し、リモートコントローラ６から受信する操作指令に従って運転モードに移行する。したがって、制御部１０は、運転モード時に付着物の吸湿による過電流を検知した場合は待機モードでの制御を行う。そして、制御部１０は、待機モード時にリトライ運転を行うことによって、空気清浄機５０の使用環境の湿度の低下後に自動で運転モードに復帰し、異常を誤発報することなく空気清浄機能を再度発揮できる。
【００４３】
図７に示す例では、制御部１０は、待機モード時において例えば１０分ごとに電気集塵機５を間欠運転させてリトライ運転を行う。制御部１０は、待機モードのリトライ運転時に、検知電流値が第２の基準値未満となった場合は、空気清浄機５０が空気清浄機能を発揮できる正常状態に復帰したと判定し、リモートコントローラ６から受信する操作指令に従って停止モードに移行する。したがって、制御部１０は、停止モード時に付着物の吸湿による過電流を検知した場合は、待機モードでの制御を行う。そして、制御部１０は、待機モード時にリトライ運転を行うことによって、空気清浄機５０の使用環境の湿度の低下後に自動で停止モードに復帰することができる。
【００４４】
図８は、本発明の実施の形態１にかかる制御部１０が、待機モードのリトライ運転時に異常モードを選択する場合における検知電流値の推移の一例を示す特性図である。図８において、１回目のリトライ運転時及び２回目のリトライ運転時の検知電流値は、緩やかに増加しており、電流値の増加量が第１の基準値である第１の閾値電流値増加量未満である。したがって、制御部１０は、付着物の吸湿による過電流が発生したと判定して、待機モードを選択する。一方、３回目のリトライ運転時の検知電流は、急激に増加しており、電流値の増加量が第１の閾値電流値増加量以上である。したがって、制御部１０は、電気集塵機５が短絡故障したと判定して、異常モードを選択する。
【００４５】
つぎに、本実施の形態１にかかる空気清浄機５０の制御部１０における制御について説明する。図９は、本発明の実施の形態１にかかる空気清浄機５０の制御部１０の制御の流れを示すフローチャートである。図９のフローチャートは、電流値の増加量が第１の閾値電流値増加量以上であるか否かで、空気清浄機５０が短絡故障したか否かを判定する制御を有している。
【００４６】
空気清浄機５０の電源が投入されると、ステップＳ１において、制御部１０は、制御パラメータの初期化処理を行う。初期化処理においては、制御部１０は、ファン１を停止させる処理と、電気集塵機５を停止させる処理と、制御モードを停止モードにする処理と、停止モード時にリトライ運転を実施するまでの時間を計測する停止モードタイマの設定時間を既定時間である第１の閾値時間に設定するとともに計測時間をクリアしてスタートする処理と、待機モード時にリトライ運転を実施するまでの時間を計測する待機モードタイマの設定時間を既定時間である第２の閾値時間に設定する処理と、記憶素子１１に記憶された過去の検知電流値を０ｍＡに設定する処理と、を行う。停止モードタイマおよび待機モードタイマは、制御部１０に備えられている。
【００４７】
停止モード時にリトライ運転を実施するまでの時間は、電気集塵機５が停止している停止モード時に、制御モードの選択の判定を再度行うまでの待機時間と換言できる。したがって、停止モードタイマの設定時間を第１の閾値時間に設定する処理は、停止モード時に制御モードの選択の判定を再度行うまでの待機時間を第１の閾値時間に設定する処理と換言できる。第１の閾値時間の一例は、１０分である。
【００４８】
待機モード時にリトライ運転を実施するまでの時間は、付着物の吸湿による過電流を検出した待機モード時に、制御モードの選択の判定を再度行うまでの待機時間と換言できる。したがって、待機モードタイマの設定時間を第２の閾値時間に設定する処理は、待機モード時に制御モードの選択の判定を再度行うまでの待機時間を第２の閾値時間に設定する処理と換言できる。第２の閾値時間の一例は、１０分である。
【００４９】
つぎに、ステップＳ２において、制御部１０は、制御モードが異常モードであるか否かを確認する。制御モードが異常モードであれば、ステップＳ２でＹｅｓとなり、現状を維持してステップＳ２に戻る。制御モードが異常モードでなければ、ステップＳ２でＮｏとなり、ステップＳ３に進む。
【００５０】
ステップＳ３において、制御部１０は、制御モードが待機モードか否かを判定する。制御モードが待機モードであればステップＳ３でＹｅｓとなり、ステップＳ４に進む。制御モードが運転モード又は停止モードであればステップＳ３でＮｏとなり、ステップＳ５に進む。
【００５１】
ステップＳ４では、制御部１０は、待機モードタイマの計測時間が第２の閾値時間以上であるか否かを判定する。ここでは、第２の閾値時間が１０分であるので、制御部１０は、待機モードタイマの計測時間が１０分以上であるか否かを判定する。待機モードタイマによる計測時間が１０分未満であれば、ステップＳ４でＮｏとなり、ステップＳ２に戻る。一方、待機モードタイマによる計測時間が１０分以上であれば、ステップＳ４でＹｅｓとなり、ステップＳ９に進む。
【００５２】
ステップＳ５では、リモートコントローラ６からの操作指令が運転であるか否かを判定する。リモートコントローラ６からの操作指令が停止であれば、ステップＳ５でＮｏとなり、ステップＳ６に進む。一方、リモートコントローラ６からの操作指令が運転であれば、ステップＳ５でＹｅｓとなり、ステップＳ８に進む。
【００５３】
ステップＳ６では、制御部１０は、ファン１を停止させ、ステップＳ７へ進む。なお、空気清浄機５０の電源の投入直後においてはファン１が停止しているため、ステップＳ６が行われずにステップＳ７へ進む。
【００５４】
ステップＳ７では、制御部１０は、停止モードタイマによる計測時間が第１の閾値時間以上であるか否かを判定する。ここでは、第１の閾値時間が１０分であるので、制御部１０は、停止モードタイマによる計測時間が１０分以上であるか否かを判定する。停止モードタイマによる計測時間が１０分未満であれば、ステップＳ７でＮｏとなり、ステップＳ２に戻る。一方、停止モードタイマによる計測時間が１０分以上であれば、ステップＳ７でＹｅｓとなり、ステップＳ９に進む。
【００５５】
ステップＳ８では、制御部１０は、ファン１を運転させ、ステップＳ９へ進む。なお、ファン１が運転している場合は、ステップＳ８が行われずにステップＳ９へ進む。
【００５６】
ステップＳ９では、制御部１０は、電気集塵機５を運転させてステップＳ１０へ進む。そして、制御部１０は、電気集塵機５の運転を開始してから電気集塵機５の電極間の電流が安定するまでの第３の閾値時間は電流検知しないようにする。
【００５７】
すなわち、ステップＳ１０では、制御部１０は、電気集塵機５の運転後、第３の閾値時間が経過したか否かを判定する。第３の閾値時間の一例は、３００ｍ秒である。ここでは、第３の閾値時間が３００ｍ秒であるので、制御部１０は、電気集塵機５の運転後、３００ｍ秒が経過したか否かを判定する。電気集塵機５の運転後の経過時間は、制御部１０の備えられた運転時間タイマで計測される。
【００５８】
電気集塵機５の運転後の経過時間が３００ｍ秒未満であれば、ステップＳ１０でＮｏとなり、ステップＳ２に戻る。一方、電気集塵機５の運転後の経過時間が３００ｍ秒以上であれば、ステップＳ１０でＹｅｓとなり、ステップＳ１１に進む。
【００５９】
ステップＳ１１では、制御部１０は、検知電流値が第２の基準値である第１の閾値電流値以上か否かを判定する。検知電流値が第１の閾値電流値未満であれば、ステップＳ１１でＮｏとなり、制御部１０は、電気集塵機５が正常に集塵できる状態であると判定し、ステップＳ１２に進む。検知電流値が第１の閾値電流値以上であれば、ステップＳ１１でＹｅｓとなり、制御部１０は、電気集塵機５が正常に集塵できない状態であると判定し、ステップＳ２２に進む。
【００６０】
ステップＳ１２では、制御部１０は、リモートコントローラ６からの操作指令が運転であるか否かを判定する。リモートコントローラ６からの操作指令が運転であれば、ステップＳ１２でＹｅｓとなり、ステップＳ１３に進む。一方、リモートコントローラ６からの操作指令が停止であれば、ステップＳ１２でＮｏとなり、ステップＳ１７に進む。
【００６１】
ステップＳ１３では、制御部１０は、制御モードを運転モードに設定してステップＳ１４に進む。ステップＳ１４では、制御部１０は、電流センサ９で１００ｍ秒ごとに検知された検知電流値を記憶素子１１に記録してステップＳ１５に進む。ステップＳ１５では、制御部１０は、ファン１を運転させてステップＳ１６に進む。ステップＳ１６では、制御部１０は、電気集塵機５を運転させて、ステップＳ２に戻る。
【００６２】
ステップＳ１７では、制御部１０は、制御モードを停止モードに設定してステップＳ１８に進む。ステップＳ１８では、制御部１０は、電流センサ９で１０分ごとに計測された検知電流値を記憶素子１１に記録してステップＳ１９に進む。ステップＳ１９では、制御部１０は、ファン１を停止させてステップＳ２０に進む。ステップＳ２０では、制御部１０は、電気集塵機５を停止してステップＳ２１に進む。ステップＳ２１では、制御部１０は、停止モードタイマをクリアスタートして、ステップＳ２に戻る。
【００６３】
ステップＳ２２では、制御部１０は、電流センサ９で計測された電流値の増加量、すなわち検知電流値の増加量が第１の基準値である第１の閾値電流値増加量以上か否かを判定する。電流値の増加量が第１の閾値電流値増加量以上であれば、ステップＳ２２でＹｅｓとなり、制御部１０は、短絡故障による過電流検知と判定し、ステップＳ２３に進む。一方、電流値の増加量が第１の閾値電流値増加量未満であれば、ステップＳ２２でＮｏとなり、制御部１０は、付着物の吸湿による過電流検知と判定し、ステップＳ２７に進む。
【００６４】
ステップＳ２３では、制御部１０は、制御モードを異常モードに設定してステップＳ２４に進む。ステップＳ２４では、制御部１０は、ファン１を停止させてステップＳ２５に進む。ステップＳ２５では、制御部１０は、電気集塵機５を停止してステップＳ２６に進む。ステップＳ２６では、制御部１０は、電気集塵機５が短絡故障状態である旨の情報を通信でリモートコントローラ６へ送信し、ステップＳ２に戻る。なお、電気集塵機５が短絡故障状態である旨の情報を通信で取得したリモートコントローラ６は、ランプ８を点滅させて使用者に異常通知を行う。
【００６５】
ステップＳ２７では、制御部１０は、制御モードを待機モードに設定してステップＳ２８に進む。ステップＳ２８では、制御部１０は、電流センサ９で１０分ごとに計測された検知電流値を記憶素子１１に記録してステップＳ２９に進む。ステップＳ２９では、制御部１０は、電気集塵機５の電極部に湿気が滞留することを防ぐためにファン１の運転を継続してステップＳ３０に進む。ただし、湿気の滞留防止が必要なければファン１は停止させてもよい。ステップＳ３０では、制御部１０は、電気集塵機５を停止してステップＳ３１に進む。ステップＳ３１では、制御部１０は、待機モードタイマをクリアスタートして、ステップＳ２に戻る。
【００６６】
上述したフローにおけるステップＳ２１からの一連の流れでは、停止モードタイマによる計測時間が第１の閾値時間である１０分を経過するまでステップＳ２からステップＳ７を繰り返し、１０分が経過するとステップＳ７からステップＳ９に移行して電気集塵機５を運転させ、さらに上述した各処理が実施された後にステップＳ２０で電気集塵機５を停止させる、という処理を繰り返すリトライ運転が実施される。また、上述したフローにおけるステップＳ３１からの一連の流れでは、待機モードタイマによる計測時間が第２の閾値時間である１０分を経過するまでステップＳ２からステップＳ４を繰り返し、１０分が経過するとステップＳ４からステップＳ９に移行して電気集塵機５を運転させ、さらに上述した各処理が実施された後にステップＳ３０で電気集塵機５を停止させる、という処理を繰り返すリトライ運転が実施される。
【００６７】
上述したように、本実施の形態１にかかる空気清浄機５０は、電極間に電圧を印加して形成した放電空間を通過する塵を帯電させ、帯電した塵を吸着させて電気集塵する電気集塵機５と、電気集塵機５の電極間の電気的特性値である電流値を計測する計測部である電流センサ９と、電気集塵機５を制御する制御部１０と、を有する。そして、制御部１０は、電流センサ９で計測された電気的特性値である電流値と第２の基準値である第１の閾値電流値との大小関係、および、電流センサ９で計測された電気的特性値の変化量である電流値の増加量と第１の基準値である第１の閾値電流値増加量との大小関係に基づいて、電気集塵機５が短絡故障したか否かを判定する。これにより、空気清浄機５０は、湿度検知手段を用いることなく且つ高湿度状態であっても、空気清浄機５０に生じている状態が短絡故障による過電流であるか付着物の吸湿による過電流であるかを判定でき、電気集塵機５が短絡故障したと判定した場合にはすぐに使用者に異常を通知することができる。
【００６８】
さらに制御部１０は、電気集塵機５が短絡していないと判定した場合、電流センサ９で計測された電気的特性値である電流値と第２の基準値である第１の閾値電流値との大小関係に基づいて、電気集塵機５を間欠運転させる。そして、制御部１０は、間欠運転時において電流センサ９で計測された電流値と第２の基準値である第１の閾値電流値との大小関係および間欠運転時において電流センサ９で計測された電流値が変化した量である電流値の増加量と第１の基準値である第１の閾値電流値増加量との大小関係に基づいて、電気集塵機５が正常に集塵できる状態であるか否かを判定する。これにより、空気清浄機５０は、付着物の吸湿による過電流検知の場合は、リトライ運転によって湿度低下後に自動で正常復帰し、異常を誤発報することなく空気清浄機能を再度発揮できる。
【００６９】
なお、上記の説明において、電気集塵機５が短絡故障したか否かを判定するために、電気的特性値として電気集塵機５の電極間を流れる電流値を計測しているが、電気的特性値は、電気集塵機５の電極間を流れる電流値に限定されない。電気的特性値には、電気集塵機５の電極間の電圧値、または電気集塵機５の電極間の抵抗値を計測して用いてもよい。この場合も、上記と同様にして、電気的特性値の基準値と電気的特性値との大小関係、および電気的特性値の変化量の基準値と電気的特性値の変化量との大小関係に基づいて、空気清浄機５０に生じている状態が短絡故障による過電流であるか付着物の吸湿による過電流であるかを判定でき、電気集塵機５が短絡故障したと判定した場合にはすぐに使用者に異常を通知することができる。
【００７０】
また、上記の説明ではリモートコントローラ６からの操作指令が停止である停止モード時にリトライ運転を実施するまでの既定時間の一例として１０分を示したが、既定時間は特定の値に限定されない。
【００７１】
また、待機モード時にリトライ運転を実施するまでの既定時間の一例として１０分を示したが、使用環境及び使用条件に合わせて設定してもよく、特定の値に限定されない。
【００７２】
さらに、停止モード時のリトライ運転を実施するまでの既定時間と、待機モード時のリトライ運転を実施するまでの既定時間は、異なる時間を設定してもよい。例えば、待機モード時のリトライ運転を実施するまでの既定時間を５分として短くすることで、リモートコントローラ６からの操作指令が運転の場合に、付着物の吸湿によって電気集塵機５を一時的に停止させている状態からなるべく早く復帰できるようにすることも可能である。一方、停止モード時のリトライ運転を実施するまでの既定時間を、例えば２０分として長くすることで、消費電力を削減することも可能である。
【００７３】
停止モード時に定期的にリトライ運転を実施するまでの既定時間及び待機モード時にリトライ運転を実施するまでの時間は、製品出荷時に設定することもできるが、リモートコントローラ６又は空気清浄機５０の本体に対する操作で設定できるようにしてもよい。
【００７４】
また、記憶素子１１にマイクロコントローラ（Ｍｉｃｒｏｃｏｎｔｒｏｌｌｅｒ）のＲＡＭ（Ｒａｎｄｏｍ  Ａｃｃｅｓｓ  Ｍｅｍｏｒｙ）等の揮発性メモリーを使用すると、空気清浄機５０の電源を遮断すると記憶が失われる。このため、ステップＳ１で過去の検知電流値を０ｍＡに設定する処理を行っている。しかし、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリーも搭載し、空気清浄機５０の電源を遮断時に最新の電流値を不揮発性メモリーに記録することで、ステップＳ１で過去の検知電流値を０ｍＡに設定せずに、不揮発性メモリーに記録していた電流値を読み出して、過去の検知電流値として設定してもよい。制御部１０は、空気清浄機５へ電源投入後に最初に電流センサ９で計測された電流値と、空気清浄機５の電源投入時に不揮発性メモリーに記憶されている電流値とに基づいて、電流値の増加量を算出してもよい。
【００７５】
なお、空気清浄機５は、工場出荷時に通電して動作確認が行われる、市場で初めて動作させるときでも不揮発性メモリーに電流値が記録されており、電流値の増加量が計算可能である。
【００７６】
さらに、コスト増加を防ぐ目的でＥＥＰＲＯＭを搭載せず、マイクロコントローラのＲＯＭ（Ｒｅａｄ  Ｏｎｌｙ  Ｍｅｍｏｒｙ）に製品の工場出荷時に電流値情報を書き込んでおき、ステップＳ１で過去の検知電流値を０ｍＡに設定せずに、ＲＯＭから電流値を読み出して、過去の検知電流値として設定してもよい。
【００７７】
また、短絡故障状態を通信で取得したリモートコントローラ６はランプ８を点滅させて異常通知を行うが、リモートコントローラ６の表示部にエラーメッセージ又はエラーコードを表示させることによって異常通知を行ってもよく、特定の方法に限定されない。
【００７８】
上述したように、本実施の形態１にかかる空気清浄機５０は、湿度検知手段を用いることなく且つ高湿度状態であっても、空気清浄機５０の状態が短絡故障による過電流であるか付着物の吸湿による過電流であるかを判定でき、短絡故障が発生した場合に速やかに異常を通知できる。これにより、速やかに故障部品の交換または修理を行うことができるため、空気清浄機能を早期に回復できる。
【００７９】
また、空気清浄機５０は、付着物の吸湿による過電流を検知した場合は、リトライ運転によって湿度低下後に自動復帰し、異常を誤発報することなく空気清浄機能を再度発揮できる。
【００８０】
また、空気清浄機５０は、湿度センサを搭載する必要がないため、湿度センサを搭載することに起因した製品コストの増加、組み立て工数の増加および製品の大型化といったデメリットが生じない。
【００８１】
したがって、本実施の形態１にかかる空気清浄機５０は、湿度検知手段を用いることなく、高湿度状態でも短絡故障の異常通知ができ、短絡故障による過電流であるか付着物の吸湿による過電流であるかを判定でき、短絡故障が発生した場合に速やかに異常を通知できる、という効果を奏する。
【００８２】
実施の形態２．
図１０は、本発明の実施の形態２にかかる空気清浄機が運転モード時に第２の閾値電流値増加量に基づいて待機モードを選択する場合における検知電流値の推移の一例を示す特性図である。本実施の形態２にかかる空気清浄機は、特に記述しない事項については実施の形態１にかかる空気清浄機５０と同様とし、実施の形態１にかかる空気清浄機５０と同一の機能及び構成については同一の符号を付し、説明は省略する。本実施の形態２にかかる空気清浄機では、制御部１０が、運転モード時、停止モード時および待機モード時のそれぞれにおいて異なる電流値の増加量の基準値を用いて、制御モードを選択することが実施の形態１と異なる。
【００８３】
上述した実施の形態１にかかる空気清浄機５０は、検知電流値に検知精度のバラツキである検知誤差があり且つ電流値の増加量を短時間の間隔で算出する場合は、検知精度のバラツキに起因して、短絡故障でないにも関わらず検知電流値が第１の基準値である第１の閾値電流値増加量以上となり、異常モードを誤判定する可能性が考えられる。この場合は、検知電流値の検知誤差よりも大きい補正値で第１の閾値電流値増加量を補正した第２の閾値電流値増加量で制御モードを判定することで、異常モードを誤判定することを防ぐことができる。電流値の増加量を算出する短時間の間隔の一例は、１００ｍ秒である。
【００８４】
第２の閾値電流値増加量は、電流センサ９で計測された電流値が変化した量である電流値の増加量と比較して、電気集塵機５が短絡故障したか否かを判定するための閾値である。そして、第２の閾値電流値増加量は、計測部で計測された電気的特性値が変化した量である電気的特性値の変化量と比較して、電気集塵機５が短絡故障したか否かを判定するための第３の基準値である。
【００８５】
図１０において、運転モード時に第２の基準値である第１の閾値電流値未満である状態から第１の閾値電流値以上の状態に変化した際の電流値の増加量は、第１の閾値電流値増加量よりも上に位置しており第１の閾値電流値増加量よりも大きく、０．２ｍＡ／１００ｍ秒である。
【００８６】
検知電流値の検知誤差は、例えば±０．１ｍＡである。検知電流値が第１の閾値電流値以上となった場合の電流値の増加量は、０．２ｍＡ／１００ｍ秒であるため、第１の閾値電流値増加量を２５０ｍＡ／１０分として判定した場合、すなわち第１の閾値電流値増加量を０．０４ｍＡ／１００ｍ秒として判定した場合は、電流値の増加量は第１の閾値電流値増加量以上となり、制御部１０は、短絡故障が発生していると判定して異常モードを選択する。
【００８７】
しかし、１秒間の周期で見れば、電流値の増加量は０．０１ｍＡ／１００ｍ秒しかなく、第１の閾値電流値増加量未満であるため、付着物の吸湿による過電流が発生したと判定して、待機モードが選択されるべきである。このような誤判定を防ぐために、運転モード時は、電流値の増加量が検知誤差よりも大きな第３の基準値である第２の閾値電流値増加量、例えば０．５ｍＡ／１００ｍ秒を用いて短絡故障による過電流検知であるか、または付着物の吸湿による過電流検知であるかを判定して制御モードの選択を行うことで、正しく制御モードを選択できる。
【００８８】
図１０において、運転モード時に第１の閾値電流値未満である状態から第１の閾値電流値以上の状態に変化した際の電流値の増加量は、第２の閾値電流値増加量よりも下に位置しており第２の閾値電流値増加量よりも小さい。したがって、制御部１０は、付着物の吸湿による過電流検知であると判定して待機モードを選択することができる。
【００８９】
また、待機モード時において正常モードに復帰するまでの時間を短くする目的でリトライ運転の間隔を短くする場合、停止モード時において消費電力を削減する目的で定期運転の間隔を長くする場合など、停止モード時と待機モード時とで電極間の電流値の計測間隔が異なる場合は、第１の閾値電流値増加量とは異なる第２の閾値電流値増加量を設定して、短絡故障による過電流検知であるか、または付着物の吸湿による過電流検知であるかを判定して制御モードの選択を行ってもよい。
【００９０】
このように、各制御モードにおける電流値の増加量を算出する間隔の違い、すなわち電流値の増加量を算出する周期の違いに応じて、電流値の増加量の基準値である第１の閾値電流値増加量を変更することで、誤判定することなく制御モードを選択することができる。
【００９１】
図１１は、本発明の実施の形態２にかかる空気清浄機の制御部１０の制御の流れを示すフローチャートである。図１１のフローチャートは、現在の制御モードによって異なる電流値の増加量の基準値を用いて、次の制御モードを判定する制御を有している。
【００９２】
ステップＳ１１では、制御部１０は、検知電流値が第１の閾値電流値以上か否かを判定する。検知電流値が第１の閾値電流値未満であれば、ステップＳ１１でＮｏとなり、制御部１０は、電気集塵機５が正常に集塵できる状態であると判定し、ステップＳ１２に進む。検知電流値が第１の閾値電流値以上であれば、ステップＳ１１でＹｅｓとなり、制御部１０は、電気集塵機５が正常に集塵できない状態であると判定し、ステップＳ３２に進む。
【００９３】
ステップＳ３２では、現在の制御モードが運転モードか否かを判定する。現在の制御モードが停止モード又は待機モードであれば、ステップＳ３２でＮｏとなり、ステップＳ２２に進む。一方、現在の制御モードが運転モードであれば、ステップＳ３２でＹｅｓとなり、ステップＳ３３へ進む。
【００９４】
ステップＳ３３では、制御部１０は、電流値の増加量が第３の基準値である第２の閾値電流値増加量以上か否かを判定する。電流値の増加量が第２の閾値電流値増加量以上であれば、ステップＳ３３でＹｅｓとなり、制御部１０は、短絡故障による過電流検知と判定し、ステップＳ２３へ進んで制御モードを異常モードに設定する。一方、電流値の増加量が第２の閾値電流値増加量未満であれば、ステップＳ３３でＮｏとなり、制御部１０は、付着物の吸湿による過電流検知と判定し、ステップＳ２７に進んで制御モードを待機モードに設定する。
【００９５】
上述したように、本実施の形態２にかかる空気清浄機は、実施の形態１にかかる空気清浄機５０と同様の効果を有する。
【００９６】
また、本実施の形態２にかかる空気清浄機では、制御部１０は、電気集塵機５の電極間の電気的特性値を計測する計測部である電流センサ９が計測した電気的特性値の変化量である電流値の変化量を算出する周期を複数有する。そして、制御部１０は、電流値の変化量を算出する周期に応じて第１の閾値電流値増加量を変更して用いる、すなわち第２の閾値電流値増加量を用いる。これにより、本実施の形態２にかかる空気清浄機は、短絡故障による過電流検知であるか、または付着物の吸湿による過電流検知であるかを誤判定することなく判定して、制御モードを適切に選択することができる。
【００９７】
実施の形態３．
図１２は、本発明の実施の形態３にかかる空気清浄機が待機モード時に第２の閾値電流値に基づいて異常モードを選択する場合における検知電流値の推移の一例を示す特性図である。本実施の形態３にかかる空気清浄機は、特に記述しない事項については実施の形態２にかかる空気清浄機と同様とし、実施の形態２にかかる空気清浄機と同一の機能及び構成については同一の符号を付し、説明は省略する。本実施の形態３にかかる空気清浄機では、制御部１０が、検知電流値に対して第２の閾値電流値を設ける点が実施の形態２と異なる。第２の閾値電流値の一例は、１０００ｍＡである。
【００９８】
第２の閾値電流値は、第１の閾値電流値より大きく、通常の付着物の吸湿では達しない電流値に設定している。すなわち、第２の閾値電流値は、不測の事態によって、電流値の増加量が第２の閾値電流値増加量未満の状態を保ちながら、検知電流値が短絡故障に匹敵する電流値まで上昇したときに達する電流値とする。制御部１０は、検知電流値が第２の閾値電流値以上である場合は、電流値の増加量の大小に関わらず、電気集塵機５が異常であると判定して異常モードを選択する。したがって、制御部１０は、検知電流値が第２の閾値電流値以上であるか否かによって、空気清浄機が異常であるか否かを判定する。
【００９９】
第２の閾値電流値は、電流センサ９で計測された電流値と比較して、電気集塵機５が短絡故障した異常であるか否かを判定するための閾値である。第２の閾値電流値は、計測部で計測された電気的特性値と比較して、電気集塵機５が短絡故障した異常であるか否かを判定するための第４の基準値である。
【０１００】
図１２においては、検知電流値が第４の基準値である第２の閾値電流値以上となって待機モードに移行した後、電流値の増加量は第３の基準値である第２の閾値電流値増加量未満の状態を保ちながら緩やかに増加し続けている。そして、検知電流値が第２の閾値電流値以上となった場合に、制御部１０は、短絡故障による過電流検知と判定して異常モードを選択する。
【０１０１】
図１３は、本発明の実施の形態３にかかる空気清浄機の制御部１０の制御の流れを示すフローチャートである。図１３のフローチャートは、検知電流値が第２の閾値電流値以上か否かで、空気清浄機が短絡故障したか否かを判定する制御を有している。
【０１０２】
ステップＳ２２では、制御部１０は、電流センサ９で計測された電流値の増加量、すなわち検知電流値の増加量が第２の基準値である第１の閾値電流値増加量以上か否かを判定する。電流値の増加量が第１の閾値電流値増加量以上であれば、ステップＳ２２でＹｅｓとなり、制御部１０は、短絡故障による過電流検知と判定し、ステップＳ２３に進む。一方、電流値の増加量が第１の閾値電流値増加量未満であれば、ステップＳ２２でＮｏとなり、制御部１０は、付着物の吸湿による過電流検知と判定し、ステップＳ３４に進む。
【０１０３】
また、ステップＳ３３では、制御部１０は、電流値の増加量が第３の基準値である第２の閾値電流値増加量以上か否かを判定する。電流値の増加量が第２の閾値電流値増加量以上であれば、ステップＳ３３でＹｅｓとなり、制御部１０は、短絡故障による過電流検知と判定し、ステップＳ２３へ進んで制御モードを異常モードに設定する。一方、電流値の増加量が第２の閾値電流値増加量未満であれば、ステップＳ３３でＮｏとなり、制御部１０は、付着物の吸湿による過電流検知と判定し、ステップＳ３４に進む。
【０１０４】
ステップＳ３４では、制御部１０は、検知電流値が第４の基準値である第２の閾値電流値以上か否かを判定する。検知電流値が第２の閾値電流値未満であれば、ステップＳ３４でＮｏとなり、付着物の吸湿による過電流検知と判定し、ステップＳ２７に進み、待機モードに設定する。検知電流値が第２の閾値電流値以上であれば、ステップＳ３４でＹｅｓとなり、制御部１０は、検知電流値が短絡故障に匹敵する電流値であると判定し、ステップＳ２３に進み、異常モードに設定する。
【０１０５】
このように、第２の閾値電流値を用いることで、不測の事態によって、付着物の吸湿量が多くなり短絡故障に匹敵する過電流が流れる場合でも、制御部１０は、空気清浄機を安全に停止して、使用者に異常を通知することができる。
【０１０６】
上述したように、本実施の形態３にかかる空気清浄機は、実施の形態１，２にかかる空気清浄機５０と同様の効果を有する。
【０１０７】
また、本実施の形態３にかかる空気清浄機では、制御部１０は、電気集塵機５の電極間の電気的特性値を計測する計測部である電流センサ９が計測した電気的特性値である検知電流値と、第１の閾値電流値と異なる第２の閾値電流値との大小関係のみで、電気集塵機５が短絡故障したか否かを判定する。これにより、本実施の形態３にかかる空気清浄機は、不測の事態によって、短絡故障に匹敵する過電流が流れる場合でも、異常モードを選択できる。そして、本実施の形態３にかかる空気清浄機は、危険を生じる場合は正確に異常の通知を行い、速やかに故障部品の交換や修理を行うことができるため、空気清浄機能を早期に回復できる。
【０１０８】
また、本実施の形態３にかかる空気清浄機において、制御部１０が第２の閾値電流値によって異常モードを選択した場合に使用者に異常を通知する方法は、実施の形態１と同じとしてもよいし、ランプ８の点滅間隔を変える、ランプ８の発光色を変える、別のランプを点灯又は点滅させるなどの方法でもよく、特定の方法に限定されない。
【０１０９】
以上の実施の形態に示した構成は、本発明の内容の一例を示すものであり、実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０１１０】
１  ファン、１ａ  電動機、１ｂ  羽根車、２  給気口、３  排気口、４  風路、５  電気集塵機、６  リモートコントローラ、７  ダストセンサ、８  ランプ、９  電流センサ、１０  制御部、１１  記憶素子、１２  処理回路、５０  空気清浄機。
【図１】
2019147102.tif 000003
【図２】
2019147102.tif 000004
【図３】
2019147102.tif 000005
【図４】
2019147102.tif 000006
【図５】
2019147102.tif 000007
【図６】
2019147102.tif 000008
【図７】
2019147102.tif 000009
【図８】
2019147102.tif 000010
【図９】
2019147102.tif 000011
【図１０】
2019147102.tif 000012
【図１１】
2019147102.tif 000013
【図１２】
2019147102.tif 000014
【図１３】
2019147102.tif 000015